(57)【要約】【課題】屈曲部でも容易にワイヤハーネスを組み付けできるようにする。【解決手段】屈曲して配索されるワイヤハーネスを保護するプロテクタ３０で、平板状の底壁３４，３５及びその両側に立設された側壁からなる収容部３２，３３を複数有すると共にこれら収容部の底壁を折り曲げ自在に連結する折曲部３６を有するワイヤハーネス収容部３１と、各収容部を閉塞する複数の蓋部４７，４８と、ワイヤハーネスに沿って屈曲し、複数の蓋部を連続させる曲蓋部４９とを有し、これら蓋部のどれか１つが対応する収容部の一方の側壁と結合ヒンジ４４で連結された蓋体３７と、結合ヒンジで連結されている蓋部と収容部の他方の側壁とを係合する第１係合手段４６，５０と、残りの蓋部と対応する収容部とを係合する第２係合手段４０，５０とを備える。蓋部４８と曲蓋部４９とを蓋ヒンジ５１で連結した。【選択図】      図１１
2004320837.tif 000002
【特許請求の範囲】
【請求項１】
屈曲して配索されるワイヤハーネスを保護するプロテクタにおいて、
平板状の底壁及びその両側に立設された側壁からなる収容部を複数有すると共にこれら収容部の底壁を折り曲げ自在に連結する折曲部を有するワイヤハーネス収容部と、
前記各収容部をそれぞれ閉塞する複数の蓋部と、前記屈曲して配索されるワイヤハーネスに沿って屈曲し、これら複数の蓋部を連続させる曲蓋部とを有し、これら蓋部のどれか１つが対応する収容部の一方の側壁と結合ヒンジで連結された蓋体と、
前記結合ヒンジで連結されている蓋部と収容部の他方の側壁とを係合する第１係合手段と、残りの蓋部と対応する収容部とを係合する第２係合手段とを備えたことを特徴とするプロテクタ。
【請求項２】
前記曲蓋部の両側に、前記収容部と前記蓋部とを係合したとき、前記折曲部の両側部を閉塞するようにそれぞれ側壁を設けたことを特徴とする請求項１に記載のプロテクタ。
【請求項３】
前記結合ヒンジ側の曲蓋部の側壁を可撓部材で形成したことを特徴とする請求項２に記載のプロテクタ。
【請求項４】
前記蓋部と曲蓋部とを蓋ヒンジで連結したことを特徴とする請求項１乃至３のいずれか１項に記載のプロテクタ。
【請求項５】
前記結合ヒンジで連結されている蓋部以外の蓋部と前記曲蓋部とを蓋ヒンジで連結したことを特徴とする請求項１乃至３のいずれか１項に記載のプロテクタ。
【請求項６】
前記曲蓋部が前記折曲部に対して外向きに屈曲していることを特徴とする請求項１乃至５のいずれか１項に記載のプロテクタ。
【発明の詳細な説明】
【０００１】
【発明の属する技術分野】
本発明は、自動車に用いられているワイヤハーネスの屈曲部を保護するプロテクタに関するものである。
【０００２】
【従来の技術】
自動車にはワイヤハーネスが配索されており、ワイヤハーネスは直線部分だけでなく屈曲した部分もあり、この屈曲したワイヤハーネスをプロテクタにより保護することが提案されている（例えば特許文献１参照）。
【０００３】
このプロテクタとしては、図１８及び図１９に示すように、ワイヤハーネス１１を収容すると共にワイヤハーネス１１の配索に応じて屈曲した凹状の収容部１００と、その収容部１００の開口部を閉塞する蓋体１０１とからなるものが提案されている。その収容部１００にワイヤハーネス１１を収容し蓋体１０１を閉めたプロテクタ１０２を車体内に固定することにより、ワイヤハーネス１１が保護されつつ配索も行われるようになっている。
【０００４】
【特許文献１】
実公平４−１９９３７号公報（第２頁、第２図）
【０００５】
【発明が解決しようとする課題】
ところで、ワイヤハーネスは、車両一台分、又は、一ブロック分の電線をまとめて、予め配索台で配索して、狭い車体内での作業をできるだけ少なくしている。このとき、プロテクタ、コネクタハウジング等もできるだけ配索台上でワイヤハーネスに取り付けたい。
【０００６】
しかし、ワイヤハーネスに屈曲したプロテクタを取り付けるとき、ワイヤハーネスを収容する収容部が予め屈曲されていると、ワイヤハーネスをその収容部に配索し難いので、作業性が悪くなる。すなわち、例えば、配索台におけるワイヤハーネスの配索状態は、車体に配索される配索状態と同じであることはほとんどない。また、車体内でワイヤハーネスにプロテクタを取り付ける場合も、ワイヤハーネスは配索状態に屈曲されているのではなく、通常直線状である。このため、直線状のワイヤハーネスを屈曲されている収容部に配索（収容）し難い。特に、プロテクタは、直線を直角に折り曲げた状態を一部に要し、ほとんどが３次元的、又は２次元的であっても直線ではなく複数に曲っているので、ワイヤハーネスを収容部に配索し難く、作業性が悪い。
【０００７】
そこで、本発明は、このような実状に鑑みなされたものであり、その目的は、屈曲部においてもワイヤハーネスの配索を容易に行えるプロテクタを提供することにある。
【０００８】
【課題を解決するための手段】
前記目的を達成するために、本発明のプロテクタは、屈曲して配索されるワイヤハーネスを保護するプロテクタにおいて、平板状の底壁及びその両側に立設された側壁からなる収容部を複数有すると共にこれら収容部の底壁を折り曲げ自在に連結する折曲部を有するワイヤハーネス収容部と、前記各収容部をそれぞれ閉塞する複数の蓋部と、前記屈曲して配索されるワイヤハーネスに沿って屈曲し、これら複数の蓋部を連続させる曲蓋部とを有し、これら蓋部のどれか１つが対応する収容部の一方の側壁と結合ヒンジで連結された蓋体と、前記結合ヒンジで連結されている蓋部と収容部の他方の側壁とを係合する第１係合手段と、残りの蓋部と対応する収容部とを係合する第２係合手段とを備えたものである（請求項１）。
【０００９】
このように構成することで、複数の収容部を直線上に配置し、これら収容部にワイヤハーネスを収容（配索）した後、ワイヤハーネスを収容部と共に折曲部を介してワイヤハーネスの配索方向に沿って折り曲げると共に、それら収容部と蓋部とを第１、第２係合手段により係合させて収容部の開口部を閉塞する。このとき、第１、第２係合手段による収容部と蓋部の係合と、折曲部とによってプロテクタは屈曲された状態に維持されるので、ワイヤハーネスを屈曲した状態で保護することができる。
したがって、ワイヤハーネスのワイヤハーネス収容部への配索は、ワイヤハーネスを折り曲げることなく直線で行えるので、ワイヤハーネスの配索性が向上する。
【００１０】
前記曲蓋部の両側に、前記収容部と前記蓋部とを係合したとき、前記折曲部の両側部を閉塞するようにそれぞれ側壁を設けることが好ましい（請求項２）。
このように、曲蓋部の両側に側壁を設けることにより、ワイヤハーネスが屈曲部の側部から出ることがないので、ワイヤハーネスを確実に保護することができる。
【００１１】
前記結合ヒンジ側の屈曲蓋部の側壁を可撓部材で形成することが好ましい（請求項３）。
これにより、収容部と蓋部とを係合させて収容部の開口部を閉塞するとき、結合ヒンジ側の屈曲蓋部の側壁がワイヤハーネスと当接する場合があるとしても、その側壁を当接しないように可撓できるので、蓋部で収容部の開口部を閉塞することができる。
【００１２】
前記蓋部と曲蓋部とを蓋ヒンジで連結するか、又は結合ヒンジで連結されている蓋部以外の蓋部と曲蓋部とを蓋ヒンジで連結することが好ましい（請求項４，請求項５）。
これらにより、蓋部の位置を蓋ヒンジを介して調節することができる。このため、第２係合手段で蓋部と収容部とを係合させるとき、折曲部による収容部の位置調節と共に蓋ヒンジによる蓋部の位置調節も行えることになり、容易に蓋部と収容部との係合を行えることになる。
【００１３】
前記曲蓋部は前記折曲部に対して外向きに屈曲していることが好ましい（請求項６）。
これにより、ワイヤハーネスを平坦な折曲部に沿ってワイヤハーネス収容部内に真直に配索した後、結合ヒンジ側の蓋部を第１係合手段でワイヤハーネス収容部に係止させ、次いでワイヤハーネス収容部の結合ヒンジから遠い側の収容部を結合ヒンジから遠い側の蓋部に向けてワイヤハーネスと共に折曲部から屈曲させることで、ワイヤハーネスの屈曲と、蓋部と収容部との第２係合手段による係止とを同時に効率良く行うことができる。
【００１４】
【発明の実施の形態】
以下、本発明の実施の形態を添付図面に基づいて詳述する。
図１乃至図４は本発明の第１のプロテクタを示す図である。図５及び図６は本発明の第１のプロテクタの他の例を示す図である。
【００１５】
図１乃至図６において、１はプロテクタを示し、このプロテクタ１は、自動車、航空機、電車、製造プラント等の各種産業分野に利用されているワイヤハーネスを保護するものであり、特に、自動車のバッテリーとライト類、パワーウィンド装置、ワイパー装置等の電気部品とを接続するワイヤハーネスを保護するのに用いられる。
【００１６】
プロテクタ１は、合成樹脂を材料として射出成形により、ワイヤハーネス収容部２に結合ヒンジ３を介して蓋体４を一体に設けてなるものである。なお、ワイヤハーネス収容部２と蓋体４とは個別に形成してもよい。
【００１７】
ワイヤハーネス収容部２は、平板状の底壁５ａ、５ｂとその両側に立設された側壁６ａ、６ｂ、７ａ、７ｂとからなる複数図示例では２つの第１、第２収容部８、９と、それら第１、第２収容部８、９の底壁５ａ、５ｂを折り曲げ自在に連結する折曲部１０とからなる。なお、収容部は図示例では２つ設けたが、３つ以上設けるようにしてもよく、この場合、各収容部を連結する連結部は折り曲げることがあるときには折曲部１０で連結することは言うまでもない。
【００１８】
第１、第２収容部８、９は、肉厚寸法が例えば全て同じで、共に平板状の底壁５ａ、５ｂと、その両側に底壁５ａ、５ｂからほぼ垂直に立設した側壁６ａ、６ｂ、７ａ、７ｂとからなり、凹状に形成されている。第１、第２収容部８、９は、側壁６ａ、６ｂ、７ａ、７ｂの高さ、及び側壁間（底壁５ａ、５ｂ）の幅は、収容するワイヤハーネス１１によって任意に決められ、例えば収容するワイヤハーネス１１が円形状の場合にはほぼ同じであって収容し得る寸法に形成されている。
【００１９】
折曲部１０は、第１、第２収容部８、９の底壁５ａ、５ｂを連結するもので、それら底壁５、５と幅が同じ寸法で、ワイヤハーネス１１が十分に曲り得る長さに形成されている。折曲部１０は、折り曲げることができるならばどのように形成してもよく、例えば底壁５ａ、５ｂより薄肉に形成してもよいし、ゴム等の弾性部材や可撓性部材等で形成してもよいし、容易に折り曲げられるように蛇腹状に形成してもよいし、底壁５ａ、５ｂと同じ厚さの肉厚部と幅方向に沿って延在する薄肉部とをワイヤハーネス収容部２の長手方向に沿って交互に複数配置して形成してもよい。
【００２０】
第１、第２収容部８、９の一方の側壁６ａ、６ｂであって折曲部１０とは反対側の端部近傍には、係合枠部１２ａ、１２ｂがそれぞれ設けられている。
第１、第２収容部８、９のどちらか一方、例えば第１収容部８の他方の側壁７ａの上端部に結合ヒンジ３を介して蓋体４が接合されている。
【００２１】
蓋体４は、第１、第２収容部８、９の係合部１２ａ、１２ｂと係合して第１、第２収容部８、９の開口部を閉塞する第１、第２蓋部１３、１４と、それら第１、第２蓋部１３、１４を連結する湾曲状の曲蓋部１５とからなる。
【００２２】
第１、第２蓋部１３、１４は、第１、第２収容部８、９の上部の開口部をそれぞれ閉塞する例えば第１、第２収容部８、９の底壁５ａ、５ｂとほぼ同一形状、同一肉厚寸法に形成されている。第１蓋部１３の一側部が結合ヒンジ３を介して第１収容部８に接合されている。結合ヒンジ３は、この部分で折り曲げられるように薄肉で例えば湾曲状に形成されてなる。
【００２３】
第１、第２蓋部１３、１４の第１、第２収容部８、９の一方の側壁６ａ、６ｂに対応する側部には、蓋部１３、１４からほぼ垂直に立設し、前記係合枠部１２ａ、１２ｂと係合する係合突部１６ａ、１６ｂが設けられている。第１収容部８の係合枠部１２ａと、第１蓋部１３の係合突部１６ａとで第１係合手段２０が構成される。また、第２収容部９の係合枠部１２ｂと、第１蓋部１４の係合突部１６ｂとで第２係合手段２１が構成される。
【００２４】
第１、第２係合手段２０、２１は、係合するならばどのように形成してもよく、例えば、図示するように形成してもよいし、第１、第２収容部８、９に係合突部１６ａ、１６ｂを設けると共に、第１、第２蓋部１３、１４に係合枠部１２ａ、１２ｂを設けるようにして形成してもよい。また、第１、第２係合手段２０、２１は、１組の係合突部と係合枠部とで係合するようにしているが、その係合は複数の箇所で行うように構成してもよい。また、第１、第２収容部８、９の他方の側壁７ａ、７ｂと第１、第２蓋部１３、１４の他方の側部にそれぞれ係合枠部と係合突部とを設けて係合を行うようにしてもよい。
【００２５】
曲蓋部１５は、第１、第２蓋部１３、１４を連結するもので、それら第１、第２蓋部１３、１４と幅が同じ寸法で同一肉厚寸法に形成されていると共に、任意の角度例えば図示例では第１蓋部１３と第２蓋部１４とが互いに直角になるように円弧状（９０°の円弧状）の湾曲板により形成されている。この曲蓋部１５の曲げ方向は、特に限定されないが、図示するように、曲蓋部１５の裏面が内側になるようにしてもよいし、逆に曲蓋部１５の裏面が外側になるようにしてもよい。つまり、ワイヤハーネス１１を曲げたとき、ワイヤハーネス１１の曲げ部分の外側か内側のどちら一方に曲蓋部１５が位置させるように曲蓋部１５が形成されていることが好ましい。
【００２６】
曲蓋部１５の角度がプロテクタ１の角度を決定するので、この角度を保護するワイヤハーネスの屈曲角度に予め設定するようにする。例えば図１に示すように９０°に屈曲したプロテクタは、９０°に曲ったワイヤハーネス１１の屈曲部を保護するものであり、図５に示すように曲蓋部１５を６０°に曲げれば、６０°に曲ったワイヤハーネス１１の屈曲部を保護するプロテクタ１が得られる。
【００２７】
曲蓋部１５の両側部には、第１、第２収容部８、９にワイヤハーネス１１を収容して蓋体４によって第１、第２収容部８、９の開口部を閉じたとき、図４に示すように曲蓋部１５の両側部を閉塞するようにそれぞれ側壁１７ａ、１７ｂが設けられている。すなわち、曲蓋部１５の側壁１７ａ、１７ｂは、図１乃至図６に示すように、９０°に湾曲した平板状（円弧平板状）に形成されている。曲蓋部１５の結合ヒンジ３側の側壁１７ｂは、可撓自在に形成することが好ましく、例えば薄肉に形成して、結合ヒンジ３を曲げて第１蓋部１３によって第１収容部８の開口部を閉塞するとき、収容部８、９に収容したワイヤハーネス１１が邪魔にならないように可撓させるようにすることが好ましい。
【００２８】
図１に示すように第２蓋部１４と曲蓋部１５とを蓋ヒンジ１８で連結するようにしてもよいし、また、第２蓋部１４の曲蓋部１５側の端部と係合突部１６ｂとの間に、幅方向に沿って延在する蓋ヒンジを介設するようにしてもよい。
【００２９】
また、図６に示すように、蓋ヒンジ１９を、第１蓋部１３と曲蓋部１５との間に設けるようにしてもよい。この場合、曲蓋部１５の結合ヒンジ３側の側壁１７ｂは、例えば他と同一肉厚寸法に形成するようにしてもよい。すなわち、曲蓋部１５の結合ヒンジ３側の側壁１７ｂは蓋体４をワイヤハーネス収容部２に邪魔になることがなく係合を行えるので、可撓性を持たせなくてもよい。
【００３０】
さて、このプロテクタ１でワイヤハーネス１１を保護するには、まず、第１、第２収容部８、９を、図１に示すように、直線上に配置し、これら第１、第２収容部８、９にワイヤハーネス１１を収容する。または、配索されているワイヤハーネス１１に第１、第２収容部８、９を移動させて第１、第２収容部８、９にワイヤハーネス１１を収容させる。収容後、図２に示すように、ワイヤハーネス１１を第１、第２収容部８、９と共に第１、第２収容部８、９の開口部が外方に向くように（折曲部１０が内側でワイヤハーネス１１が外側となるように）、折曲部１０を例えば９０°又はそれ以上の角度に折り曲げる（湾曲させる）。
【００３１】
この曲げた状態のまま、第１蓋部１３を結合ヒンジ３を折り曲げて第１収容部８の開口部に被せると共に、第１蓋部１３の係合突部１６ａを第１収容部８の係合枠部１２ａに係合させ、図３に示すように第１蓋部１３で第１収容部８を閉塞させる。
【００３２】
このとき、曲蓋部１５の結合ヒンジ３側の側壁１７ｂが、可撓可能に例えば薄肉に形成されていると、結合ヒンジ３を曲げて第１蓋部１３によって第１収容部８の開口部を閉塞するとき、その側壁１７ｂがワイヤハーネス１１に当接する場合があるとしても側壁１７ｂを当接しないように可撓できるので、第１蓋部１３で第１収容部８の開口部を容易にかつ確実に閉塞することができる。
【００３３】
そして、第２蓋部１４を蓋ヒンジ１８を折り曲げて、図４に示すように、第２収容部９の開口部に被せると共に、第２蓋部１４の係合突部１６ｂを第２収容部９の係合枠部１２ｂに係合させる。すると、第１、第２蓋部１３、１４と第１、第２収容部８、９とが係合していると共に折曲部１０によってプロテクタ１は曲った状態が維持されるので、ワイヤハーネス１１を曲った状態でプロテクタ１によって保護することができる。
【００３４】
このように、ワイヤハーネス１１をワイヤハーネス収容部２に収容（配索）する際、ワイヤハーネス１１を折り曲げることなく直線の状態で行えるので、曲ったワイヤハーネス収容部にワイヤハーネス１１を収容する場合に比してワイヤハーネス１１を容易に収容することができ、ワイヤハーネス１１の配索性が向上する。
【００３５】
また、蓋ヒンジ１８が設けられているため、第２蓋部１４の係合突部１６ｂと第２収容部９の係合枠部１２ｂとを係合するときには、折曲部１０による第２収容部９の係合枠部１２ｂの位置調節と共に蓋ヒンジ１８による第２蓋部１４の係合突部１６ｂの位置調節も行えるので、容易に第２蓋部１４と第２収容部９との係合を行える。
また、曲蓋部１５の両側に側壁１７ａ、１７ｂが設けられているため、ワイヤハーネス１１が屈曲部の側部から出ることがないので、ワイヤハーネス１１を確実に保護することができる。
【００３６】
また、プロテクタ１は射出成形によりワイヤハーネス収容部２、結合ヒンジ３及び蓋体４を一体的に容易に成形することができる。すなわち、例えば、図１８及び図１９に示すように、湾曲されたハーネス収容部の両端部に係合部がそれぞれ設けられてなるプロテクタ１０２の場合には、２つの係合部１０３、１０３が同じ形状であっても向きが９０°ずれているため、金型で成形するときには、一方向ではなく二方向になり、金型を一方向に分割できないので、金型による製造が難しい。これに対して、本発明のプロテクタ１は、図１に示すように、２つの係合部１２ａ、１２ｂの向きがほぼ同じにすることができるので、金型により製造することができ、製造性が向上する。また、曲蓋部１５の角度を図５に示すようにほぼ６０°にしても、金型により容易に製造することができる。
【００３７】
図７乃至図１４は本発明の第２のプロテクタを示す図であり、このプロテクタ３０は、平型のワイヤハーネス（図示せず）を３次元的に保護するものである。なお、前記第１のプロテクタ１と同一構成部分には同一名称を付しその説明を省略する。
【００３８】
ワイヤハーネス収容部３１は、第１収容部３２と第２収容部３３との２つからなり、これら第１、第２収容部３２、３３は第１、第２収容部３２、３３の底壁３４、３５が折曲部３６を介して連結されている。これら第１、第２収容部３２、３３は、蓋体３７で閉塞されていないときには、図７及び図１１に示すように、ほぼ同一平面上に位置される。
【００３９】
第１収容部３２は、直線状に形成され、両側壁３８、３９には、それぞれ係合枠部４０が設けられている。底壁３４の先端部（折曲部３６とは反対側の端部）には、先端部の両側部にずれ止め用の突条４１、４１を有し、テープ等の巻付部材と共に巻き付けられてワイヤハーネスを固定するワイヤハーネス取付部４２が設けられている。
【００４０】
第２収容部３３は、２次元的にほぼく字状に形成されている。第２収容部３２の長辺側の側壁４３の折曲部とは反対側の直線部４３ａには、結合ヒンジ４４を介してほぼく字状の蓋体３７が接合されている。残りの直線部４３ｂと他方の側壁４５には、それぞれ係合枠部４６が設けられている。収容部３３の係合枠部４６と蓋部４７の係合突部５０とで第１係合手段が構成され、収容部３２の係合枠部４０と蓋部４８の係合突部５０とで第２係合手段が構成される。なお、底壁３５及び側壁４３，４５を直線部４３ａの延長方向に長く延長し、その延長部をヒンジ付きの他の蓋部（図示せず）で覆うようにしてもよい（図１５参照）。
【００４１】
蓋体３７は、第２収容部３３の屈曲部を閉塞するほぼく字状の第１蓋部４７と、第１収容部３２を閉塞する矩形平板状の第２蓋部４８と、それら第１、第２蓋部４７、４８を一体的に連結する湾曲状の曲蓋部４９とからなる。第１、第２蓋部４７、４８の両側部には、それぞれ係合突部５０が設けられている。
【００４２】
曲蓋部４９は、第１蓋部４７を第２収容部３３に係合させたとき、折曲部３６とは反対側に（折曲部３６に対して外向きに）例えば９０°に湾曲するように形成されている。この点で図１の実施形態とは相違している。折曲部３６に対して曲蓋部４９を外向きに屈曲させたことで、ワイヤハーネスの屈曲と第２蓋部４８への収容部３２の係止とを一連の動作で効率良く行うことができる。
【００４３】
また、図１１乃至図１４に示すプロテクタ３０では、第２蓋部４８と曲蓋部４９とが蓋ヒンジ５１で連結されている。蓋ヒンジ５１は、第２蓋部４８を自由状態で係合突部５０の突出方向に傾斜させた状態で連結させるように形成することが好ましい。また、蓋ヒンジ５１は、第２蓋部４８の曲蓋部側の端部と係合突部５０との間に介設するようにしてもよい。また、図１の実施形態のように曲蓋部４９の両側に側壁（図示せず）を一体に形成してもよく、側壁を可撓性のものとしてもよい。
【００４４】
このように構成しても前述と同様の作用効果を奏する。
すなわち、第１、第２収容部３２、３３を、図７及び図１１に示すように、直線上に配置し、これら第１、第２収容部３２、３３にワイヤハーネスを収容する。収容後、第１収容部３２のワイヤハーネス取付部４２にテープ等の巻付部材と共にワイヤハーネスを巻き付けて固定する。
蓋体３７を結合ヒンジ４４を折り曲げて第２収容部３３に被せると共に、第１蓋部４７の係合突部５０、５０を第２収容部３３の係合枠部４６、４６に係合させて第１蓋部４７で第２収容部３３を閉塞させる。
【００４５】
そして、第１収容部３２を、第２蓋部４８に当接するように折曲部３６を例えば９０°折り曲げ（湾曲させ）、第１収容部３２の係合枠部４０、４０と第２蓋部４８の係合突部５０、５０とを係合させる。すると、第１、第２蓋部４７、４８と第２、第１収容部３３、３２とが係合していると共に、折曲部３６によってプロテクタ１は曲った状態が維持されるので、ワイヤハーネスを曲った状態でプロテクタ１によって保護することができる。
【００４６】
このように、ワイヤハーネスをワイヤハーネス収容部３１に収容（配索）する際、ワイヤハーネスを折り曲げることなく直線の状態で行えるので、曲ったワイヤハーネス収容部にワイヤハーネスを収容する場合に比してワイヤハーネスを容易に収容することができ、ワイヤハーネスの配索性が向上する。
【００４７】
また、図１１乃至図１４に示すように、蓋ヒンジ５１を設けることにより、第２蓋部４８の係合突部５０、５０と第１収容部３２の係合枠部４０、４０とを係合するときには、折曲部３６による第１収容部３２の係合枠部４０、４０の位置調節と共に蓋ヒンジ５１による第２蓋部４８の係合突部５０、５０の位置調節も行えるので、容易に第１収容部３２と第２蓋部４８の係合を行える。
【００４８】
図１５乃至図１７は本発明の第３のプロテクタを示す図であり、このプロテクタ６０は、図７乃至図１０に示されている第２のプロテクタ３０を一部に有するものである。なお、前記第１、第２のプロテクタと同一構成部分には同一名称を付しその説明を省略する。
【００４９】
ワイヤハーネス収容部６１は、第１収容部６２と第２収容部６３との２つを含み、これら第１、第２収容部６２、６３は第１、第２収容部６２、６３の底壁６４、６５が折曲部６６を介して連結されている。これら第１、第２収容部６２、６３は、蓋体６７で閉塞されていないときには、ほぼ同一平面上に位置されている。
【００５０】
第１収容部６２は、直線状に形成され、両側壁６８、６９には、それぞれ係合枠部７０が設けられていると共に、一方の側壁６９にパネル等に取り付けるための取付片７１が設けられている。底壁６４の先端部（折曲部６６とは反対側の端部）には、先端部の両側部にずれ止め用の突条７２、７２を有し、テープ等の巻付部材と共に巻き付けられてワイヤハーネス（図示せず）を固定するワイヤハーネス取付部７３が設けられている。
【００５１】
第２収容部６３は、２次元的におおよそクランク状に形成されている。第２収容部６３の折曲部６６とは反対側の屈曲部（第１屈曲部）７４を形成する外側の側壁（第１屈曲部７４を形成する外側の側壁）７５には、結合ヒンジ７６を介してほぼく字状の第１蓋体７７が接合されている。第１蓋体７７の結合ヒンジ７６が設けられている直線縁部以外の残りの３つの縁部には、それぞれ係合突部７８が１又は２設けられている。第１蓋体７７に対応する第２収容部の両側壁７５、７９には、それぞれ係合枠部８０が設けられている。
【００５２】
第２収容部６３の折曲部６６側の屈曲部（第２屈曲部）８１を形成する外側の側壁７４の内側（折曲部６６側とは反対側）には、結合ヒンジ８２を介して第２蓋体８３が接合されている。
【００５３】
第２蓋体８３は、第２収容部６３の第２屈曲部８１を閉塞するほぼく字状の第１蓋部８４と、第１収容部６２を閉塞する第２蓋部８５と、それら第１、第２蓋部８４、８５を一体的に連結する湾曲状の曲蓋部８６とからなる。第１、第２蓋部８４、８５の両側部には、それぞれ係合突部８７が設けられている。第２収容部６３の第１蓋部８４の係合突部８７に対応する位置には、それぞれ係合枠部８８が設けられている。
【００５４】
曲蓋部８６は、第１蓋部８４を第２収容部６３に係合させたとき、折曲部６６とは反対側に例えば９０°に湾曲するように形成されている。曲蓋部８６には、ワイヤハーネスを案内する案内部８９が設けられている。図１５及び図１６中、９０はパネル等に取り付けるための取付片を示す。また、第１蓋体と第２蓋体とで閉塞される部分の間の第２収容部６３の開口部を第３蓋体９１で閉塞するようにすることが好ましい。第３蓋体９１は第１，第２蓋体７７，８３と同様に係合突部９２と係合枠部９３で収容部に係止される。第１蓋体７７と第２蓋体８３と第３蓋体９１とで蓋体６７が構成される。
【００５５】
このように構成しても前述と同様の作用効果を奏する。
すなわち、第１、第２収容部６２、６３を、図１５に示すように、直線上に配置し、これら第１、第２収容部６２、６３にワイヤハーネスを収容する。収容後、第１収容部６２のワイヤハーネス取付部７３にテープ等の巻付部材と共にワイヤハーネスを巻き付けて固定すると共に、第１蓋体７７の係合突部７８と第２収容部６３の係合枠部８０とを結合させて第１蓋体７７で第２収容部６３の一部（第１屈曲部７４付近）を閉塞させる。
【００５６】
さらに、第２蓋体８３を結合ヒンジ８２を折り曲げて第２収容部６３に被せると共に、第１蓋部８４の係合突部８７を第５収容部６３の係合枠部８８に係合させて第１蓋部８４で第２収容部６３の一部（第２屈曲部８１付近）を閉塞させる。
【００５７】
そして、第１収容部６２を、ワイヤハーネスと共に第２蓋部８５に当接するように折曲部６６を例えば９０°折り曲げ（湾曲させ）、第１収容部６２の係合枠部７０と第２蓋部８５の係合突部８７とを係合させる。すると、第１、第２蓋部８４、８５と第２、第１収容部６３、６２とが係合していると共に折曲部６６によってプロテクタ６０は曲った状態が維持されるので、ワイヤハーネスを曲った状態でプロテクタ６０によって保護することができる。
【００５８】
このように、ワイヤハーネスをワイヤハーネス収容部６１に収容（配索）する際、ワイヤハーネスを折り曲げることなく直線の状態で行えるので、曲ったワイヤハーネス収容部にワイヤハーネスを収容する場合に比してワイヤハーネスを容易に収容することができ、ワイヤハーネスの配索性が向上する。
図７のプロテクタ３０に代えて図１１の蓋ヒンジ５１を有するプロテクタ３０を一部に備える構造とすれば、上記効果が一層助長される。
【００５９】
【発明の効果】
以上要するに請求項１に記載の発明によれば、ワイヤハーネスのワイヤハーネス収容部への配索は、ワイヤハーネスを折り曲げることなく直線で行えるので、ワイヤハーネスの配索性が向上する。
【００６０】
請求項２に記載の発明によれば、ワイヤハーネスが屈曲部の側部から出ることがないので、ワイヤハーネスを確実に保護することができる。
【００６１】
請求項３に記載の発明によれば、結合ヒンジ側の屈曲蓋部の側壁がワイヤハーネスと当接する場合があるとしても、当接しないように可撓させられるので、蓋部で収容部の開口部を閉塞することができる。
【００６２】
請求項４及び請求項５に記載の発明によれば、蓋部と収容部とを係合させるとき、折曲部による収容部の位置調節と共に蓋ヒンジによる蓋部の位置調節も行えることになり、容易に蓋部と収容部との係合を行うことができる。
【００６３】
請求項６に記載の発明によれば、ワイヤハーネスの屈曲動作と、蓋部と収容部との第２係合手段による係止とを同時に効率良く行うことができるから、プロテクタに対するワイヤハーネスの組付作業性が向上する。
【図面の簡単な説明】
【図１】本発明の第１のプロテクタを示す斜視図である。
【図２】本発明の第１のプロテクタの折曲部を折り曲げた状態を示す斜視図である。
【図３】本発明の第１のプロテクタの第１蓋部を閉じた状態を示す斜視図である。
【図４】本発明の第１のプロテクタの蓋体を閉じた状態を示す斜視図である。
【図５】本発明の第１のプロテクタの他の例を示す斜視図である。
【図６】本発明の第１のプロテクタの他の例を示す斜視図である。
【図７】本発明の第２のプロテクタを示す平面図である。
【図８】本発明の第２のプロテクタを示す正面図である。
【図９】本発明の第２のプロテクタを示す側面図である。
【図１０】本発明の第２のプロテクタを示す斜視図である。
【図１１】本発明の第２のプロテクタの他の例を示す平面図である。
【図１２】本発明の第２のプロテクタの他の例を示す正面図である。
【図１３】本発明の第２のプロテクタの他の例を示す側面図である。
【図１４】本発明の第２のプロテクタの他の例を示す斜視図である。
【図１５】本発明の第３のプロテクタを示す平面図である。
【図１６】本発明の第３のプロテクタを示す正面図である。
【図１７】本発明の第３のプロテクタを示す側面図である。
【図１８】従来のプロテクタにワイヤハーネスを収容した状態を示す斜視図である。
【図１９】従来のプロテクタをワイヤハーネスに取り付けた状態を示す斜視図である。
【符号の説明】
１，３０，６０          プロテクタ
２，３１                ワイヤハーネス収容部
３，４４                結合ヒンジ
４，３７                蓋体
５ａ，５ｂ，３４，３５  底壁
６ａ，６ｂ，４５        側壁
７ａ，７ｂ，４３        側壁
８，３２                第１収容部
９，３３                第２収容部
１０，３６              折曲部
１１                    ワイヤハーネス
１３，４７              第１蓋部
１４，４８              第２蓋部
１５，４９              曲蓋部
１７                    側壁
１８，５１              蓋ヒンジ
２０（１２ａ，１６ａ）  第１係合手段
２１（１２ｂ，１６ｂ）  第２係合手段
４６，５０              第１係合手段
４０，５０              第２係合手段
【図１】
2004320837.tif 000003
【図２】
2004320837.tif 000004
【図３】
2004320837.tif 000005
【図４】
2004320837.tif 000006
【図５】
2004320837.tif 000007
【図６】
2004320837.tif 000008
【図７】
2004320837.tif 000009
【図８】
2004320837.tif 000010
【図９】
2004320837.tif 000011
【図１０】
2004320837.tif 000012
【図１１】
2004320837.tif 000013
【図１２】
2004320837.tif 000014
【図１３】
2004320837.tif 000015
【図１４】
2004320837.tif 000016
【図１５】
2004320837.tif 000017
【図１６】
2004320837.tif 000018
【図１７】
2004320837.tif 000019
【図１８】
2004320837.tif 000020
【図１９】
2004320837.tif 000021